(57)【要約】【課題】アノテーションを入力した視聴者に対して適正な報酬を付与するために、視聴者の貢献度合いを評価できる評価装置、評価方法及び評価プログラムを提供すること。【解決手段】管理サーバ１は、映像コンテンツに対してユーザが入力したアノテーションの履歴を、ユーザ毎に記憶するアノテーション保持部１１２と、アノテーションの種別及び頻度に基づく重み付けにより、ユーザ毎の貢献ポイントを算出する貢献ポイント算出部１１４と、を備える。【選択図】図１
2018006820.tif 000002
【特許請求の範囲】
【請求項１】
映像コンテンツに対してユーザが入力したアノテーションの履歴を、前記ユーザ毎に保持する保持部と、
前記アノテーションの種別及び頻度に基づく重み付けにより、前記ユーザ毎の貢献ポイントを算出する算出部と、を備える評価装置。
【請求項２】
前記ユーザから前記アノテーションの入力を受け付けるアプリケーションを提供する提供部を備える請求項１に記載の評価装置。
【請求項３】
前記種別は、テキスト、リンク付きテキスト、静止画像ファイル付きテキスト、動画像ファイル付きテキスト又は音声ファイル付きテキストのいずれかを含む請求項１又は請求項２に記載の評価装置。
【請求項４】
前記算出部は、前記アノテーションの情報量に基づく重み付けを行う請求項１から請求項３のいずれかに記載の評価装置。
【請求項５】
映像コンテンツに対してユーザが入力したアノテーションの履歴を、前記ユーザ毎に保持する保持ステップと、
前記アノテーションの種別及び頻度に基づく重み付けにより、前記ユーザ毎の貢献ポイントを算出する算出ステップと、をコンピュータが実行する評価方法。
【請求項６】
映像コンテンツに対してユーザが入力したアノテーションの履歴を、前記ユーザ毎に保持する保持ステップと、
前記アノテーションの種別及び頻度に基づく重み付けにより、前記ユーザ毎の貢献ポイントを算出する算出ステップと、をコンピュータに実行させるための評価プログラム。
【発明の詳細な説明】
【技術分野】
【０００１】
本発明は、アノテーションを入力したユーザを評価する装置、方法及びプログラムに関する。
【背景技術】
【０００２】
従来、テレビ番組やビデオ、映画などの映像コンテンツに対して、視聴者がコメント、関連情報、インデックス又は要約情報などのアノテーションを入力し、これらのアノテーションを視聴者全体で共有するサービスが提供されている。これらのアノテーションは、映像コンテンツ内の特定のシーンに対してテキスト又は画像などとして入力され、映像コンテンツが表現する内容の補完情報となる。
【０００３】
視聴者から収集されたアノテーションは、映像コンテンツと共に順次、画面に表示され、他の視聴者との一体感を楽しむ他、番組を編集してハイライトのみを視聴するためのメタデータとしての利用方法、又はアノテーションを集めて、アノテーション自体を読み物として楽しむなど各種の利用方法がある。また、アノテーションをリンク先として使うことで、インターネットの他のサービスからＶＯＤなどのテレビ番組における特定のシーンへ誘導してテレビへの接触率を上げる手段としても利用可能である。
このように視聴者及び放送局双方の立場で有用であり、必要性が高まっている。
【０００４】
このような状況において、映像コンテンツに対してアノテーションを入力するための各種の手段が提案されている。例えば、特許文献１には、動画データに対するコメント（アノテーション）の入力候補を提示する技術が示されている。
【先行技術文献】
【特許文献】
【０００５】
【特許文献１】特開２０１５−２１１２９１号公報
【発明の概要】
【発明が解決しようとする課題】
【０００６】
ところで、映像コンテンツにより多くの有用なアノテーションが付与されるためには、視聴者に対して入力を促す動機付けが必要となる。
しかしながら、アノテーションの入力作業に対して視聴者がメリットを享受できる仕組みはなかった。
【０００７】
本発明は、アノテーションを入力した視聴者に対して適正な報酬を付与するために、視聴者の貢献度合いを評価できる評価装置、評価方法及び評価プログラムを提供することを目的とする。
【課題を解決するための手段】
【０００８】
本発明に係る評価装置は、映像コンテンツに対してユーザが入力したアノテーションの履歴を、前記ユーザ毎に記憶する記憶部と、前記アノテーションの種別及び頻度に基づく重み付けにより、前記ユーザ毎の貢献ポイントを算出する算出部と、を備える。
【０００９】
前記評価装置は、前記ユーザから前記アノテーションの入力を受け付けるアプリケーションを提供する提供部を備えてもよい。
【００１０】
前記種別は、テキスト、リンク付きテキスト、静止画像ファイル付きテキスト、動画像ファイル付きテキスト又は音声ファイル付きテキストのいずれかを含んでよい。
【００１１】
前記算出部は、前記アノテーションの情報量に基づく重み付けを行ってもよい。
【００１２】
本発明に係る評価方法は、映像コンテンツに対してユーザが入力したアノテーションの履歴を、前記ユーザ毎に記憶する記憶ステップと、前記アノテーションの種別及び頻度に基づく重み付けにより、前記ユーザ毎の貢献ポイントを算出する算出ステップと、をコンピュータが実行する。
【００１３】
本発明に係る評価プログラムは、映像コンテンツに対してユーザが入力したアノテーションの履歴を、前記ユーザ毎に記憶する記憶ステップと、前記アノテーションの種別及び頻度に基づく重み付けにより、前記ユーザ毎の貢献ポイントを算出する算出ステップと、をコンピュータに実行させる。
【発明の効果】
【００１４】
本発明によれば、アノテーションを入力した視聴者の貢献度合いを評価できる。
【図面の簡単な説明】
【００１５】
【図１】実施形態に係る管理サーバの機能構成を示すブロック図である。
【図２】実施形態に係るアノテーションデータを例示する図である。
【図３】実施形態に係る重み付けテーブルを例示する図である。
【図４】実施形態に係る貢献ポイントの算出例を示す図である。
【図５】実施形態に係るシステムの第１の構成例を示すブロック図である。
【図６】実施形態に係るアプリケーションの画面例を示す図である。
【図７】実施形態に係るシステムの第２の構成例を示すブロック図である。
【発明を実施するための形態】
【００１６】
以下、本発明の実施形態の一例について説明する。
図１は、本実施形態に係る評価装置としての管理サーバ１の機能構成を示すブロック図である。
【００１７】
管理サーバ１は、装置全体を制御する制御部１１と、各種プログラム及びデータを記憶する記憶部１２とを備えた情報処理装置（コンピュータ）である。また、管理サーバ１は、ネットワークを介して外部機器と通信するための通信制御部を備え、さらに、各種の入出力デバイスなどを備えてよい。
【００１８】
制御部１１は、記憶部１２に格納された所定のプログラム（評価プログラム）を実行することにより、アプリケーション提供部１１１、アノテーション保持部１１２、履歴管理部１１３、貢献ポイント算出部１１４及び重み付け管理部１１５として機能する。
記憶部１２は、評価プログラムの他、アノテーションデータ１２１と、重み付けテーブル１２２とを格納する。
【００１９】
アプリケーション提供部１１１は、視聴者としてのユーザからアノテーションの入力を受け付けるアプリケーションを、ユーザの端末（テレビ又は携帯端末など）に提供する。
このアプリケーションは、Ｈｙｂｒｉｄｃａｓｔ（登録商標）テレビで動作するＨＴＭＬ５などで記述されてよいが、これには限られず、例えば、データ放送のＢＭＬ（Ｂｒｏａｄｃａｓｔ  Ｍａｒｋｕｐ  Ｌａｎｇｕａｇｅ）又はスマートＴＶの各種実行言語などで記述されてもよい。
なお、アプリケーションは、予めユーザの端末にインストールされていてもよい。
【００２０】
アノテーション保持部１１２は、映像コンテンツに対してユーザが入力したアノテーションを取得し、アノテーションの履歴をユーザＩＤ毎にアノテーションデータ１２１として記憶部１２に格納する。
ここで、アノテーションの種別は、例えば、テキスト、リンク付きテキスト、静止画像ファイル付きテキスト、動画像ファイル付きテキスト、音声ファイル付きテキストなどを含んでよい。
【００２１】
図２は、本実施形態に係るアノテーションデータを例示する図である。
アノテーションは、開始時刻と終了時刻を持ち、番組（映像コンテンツ）内のシーンに対し付加される。この例は、４つのシーンに付加されたアノテーションを示している。
【００２２】
格納されるアノテーションデータは、表形式のデータとして符号化されている。符号化の形式には、ＣＳＶ形式、データ放送のＡＲＩＢ規格ＳＴＤ−Ｂ２４で規定されているバイナリテーブル形式、Ｈｙｂｒｉｄｃａｓｔなどで使われているＪＳＯＮ形式などが採用可能である。
なお、アノテーションの種別として、Ｔ：テキスト、ＬＴ：リンク付きテキスト、ＳＴ：静止画像ファイル付きテキスト、ＭＴ：動画像ファイル付きテキストの４種類が例示されているが、種別の数はこれに限られない。
【００２３】
履歴管理部１１３は、アノテーションデータ１２１からユーザ毎のアノテーションデータを抽出し、アノテーションの種別毎の出現頻度を計算する。
【００２４】
貢献ポイント算出部１１４は、重み付けテーブル１２２を用いて、アノテーションの種別及び出現頻度に基づく重み付けにより、ユーザ毎の貢献ポイントを算出する。
また、貢献ポイント算出部は、アノテーションの情報量に基づく重み付けを行ってもよい。例えば、データ容量に応じてアノテーション毎に重要度が付与されてもよい。
【００２５】
重み付け管理部１１５は、貢献ポイント算出のためのアノテーションの種別及び出現頻度毎の重み付け値を規定した重み付けテーブル１２２を記憶部１２に保持し、貢献ポイント算出部１１４に提供する。
また、重み付け管理部１１５は、管理者の入力に基づいて、重み付けテーブル１２２を更新する。
【００２６】
図３は、本実施形態に係る重み付けテーブルを例示する図である。
重み付けテーブルでは、アノテーション種別及び出現頻度レベル毎に、アノテーション１つ当たりに付与する得点を決めるための重み付け値が規定される。
ここで、出現頻度レベルは、番組毎、番組内のシーン毎、連続番組のシリーズ毎など集計範囲内に、同一ユーザが入力したアノテーションの数で表される。
【００２７】
同じアノテーション種別でも出現頻度レベルにより重みづけ値は異なっていてよい。例えば、映像コンテンツに対してより多くのアノテーションを付加した方が、アノテーション１つずつの重みが増えるように設定される。
重み付けテーブルは、放送局などのサービス提供者側が適宜、差し替えることが可能である。例えば、番組毎に差し替え、又は複数のテーブルが設けられてよい。重み付けを変えることにより、ユーザへのアノテーション入力に対する動機付けが種別毎に加減される。
【００２８】
図４は、本実施形態に係る貢献ポイントの算出例を示す図である。
図中の表は、ある映像コンテンツに対してユーザが入力したアノテーションデータから抽出した、アノテーション種別毎の数（出現頻度Ｎ）を示す。
この例では、映像コンテンツに対して、ユーザは、テキスト（Ｔ）、リンク付きテキスト（ＬＴ）、静止画像ファイル付きテキスト（ＳＴ）、動画像ファイル付きテキスト（ＭＴ）の種別毎に、それぞれ１５回、５回、３回、２回のアノテーション入力を行っている。
【００２９】
アノテーション種別毎の重み付けは、図３の重み付けテーブル１２２を参照すると、テキスト（Ｔ）に対する重み付けＷ（Ｔ）＝１、リンク付きテキスト（ＬＴ）に対する重み付けＷ（ＬＴ）＝２、静止画像ファイル付きテキスト（ＳＴ）に対する重み付けＷ（ＳＴ）＝１０、動画像ファイル付きテキスト（ＭＴ）に対する重み付けＷ（ＭＴ）＝２０となる。
【００３０】
貢献ポイントは、アノテーション種別毎に出現頻度と重み付けとを乗じた値の総和として計算され、Ｎ（Ｔ）×Ｗ（Ｔ）＋Ｎ（ＬＴ）×Ｗ（ＬＴ）＋Ｎ（ＳＴ）×Ｗ（ＳＴ）＋Ｎ（ＭＴ）×Ｗ（ＭＴ）＝１５×１＋５×２＋３×１０＋２×２０＝９５となる。
【００３１】
なお、この算出方法は一例であり、種別及び頻度に基づく他の計算式が採用されてもよい。例えば、出現頻度Ｎは、前述のアノテーションの情報量に基づく重み付け値の合計に置き換えられてもよい。
【００３２】
図５は、本実施形態に係る管理サーバ１を含むシステムの第１の構成例を示すブロック図である。
この例では、ユーザは、ハイブリッドキャスト対応のテレビ２ａで映像コンテンツを視聴し、テレビ２ａのリモコン３によりアノテーションを入力する。
【００３３】
この場合、テレビ２ａは、ネットワークを介して管理サーバ１と接続されている。
管理サーバ１は、テレビ２ａに対してアプリケーションを提供する。ユーザは、リモコン３を入力デバイスとして、アプリケーションにアノテーションを入力すると、テレビ２ａから管理サーバ１へ、ユーザのＩＤと共にアノテーションデータが送信される。
【００３４】
図６は、本実施形態に係るテレビ２ａにおけるアプリケーションの画面例を示す図である。
テレビ番組の表示領域２１と共に、アノテーションの入力欄２２が表示され、さらに、リモコン３でアノテーションを入力するためのソフトウェアキーボード２３などが表示される。
なお、アノテーションの入力方法は、リモコン３のキー入力の他、音声認識を使うなど、各種方法が採用可能である。
【００３５】
図７は、本実施形態に係る管理サーバ１を含むシステムの第２の構成例を示すブロック図である。
この例では、ユーザは、ハイブリッドキャストに非対応のテレビ２ｂで映像コンテンツを視聴しつつ、スマートフォン又はタブレットなどの携帯端末４でアノテーションを入力する。
【００３６】
この場合、携帯端末４は、ネットワークを介して管理サーバ１と接続されている。
管理サーバ１は、携帯端末４に対してアプリケーションを提供する。ユーザは、携帯端末４を入力表示デバイスとして、アプリケーションにアノテーションを入力すると、携帯端末４から管理サーバ１へ、ユーザのＩＤと共にアノテーションデータが送信される。
【００３７】
なお、これらの構成例において、アノテーションデータは、テレビ２ａ又は携帯端末４などのユーザの端末に一旦キャッシュされ、所定のタイミングで管理サーバ１へ送信されてもよい。これにより、ＶＯＤ視聴時のように、リアルタイム性が重視されない場合には、利便性を損なうことなく処理負荷が低減される。
【００３８】
本実施形態によれば、管理サーバ１は、ユーザ毎にアノテーションデータを集計し、アノテーションの種別及び頻度に基づく重み付けにより、ユーザ毎の貢献ポイントを算出する。したがって、管理サーバ１は、アノテーションを入力したユーザに対して、作業負荷に応じた適正な報酬を付与するために、ユーザの貢献度合いを評価できる。
この結果、アノテーションの入力作業への動機付けがされ、多数の視聴者が参加することによりアノテーションの件数の増加が期待でき、システムが継続的に稼働できる。さらに、コンテンツ視聴が促進されることによる経済効果も期待できる。
【００３９】
なお、貢献ポイントは、例えばソフトウェア上の特典又は商品などの報酬としてユーザに還元されることが想定され、例えば、放送局と連携したサードパーティにより還元のシステム、及びアプリケーションが提供されてよい。
【００４０】
また、管理サーバ１は、ユーザからアノテーションを収集するためのアプリケーションを、ユーザの端末へ提供できるので、予め同様の機能が実装された端末に限らず、多数の視聴者にシステムへの参加を促すことができる。
【００４１】
アノテーションの種別は、テキスト、リンク付きテキスト、静止画像ファイル付きテキスト、動画像ファイル付きテキスト及び音声ファイル付きテキストなどを含む。管理サーバ１は、このような多種の種別毎に、入力作業の負荷に応じた貢献ポイントを適正に付与できる。
【００４２】
また、管理サーバ１は、アノテーションのそれぞれに対して、データサイズなどの情報量に基づく重み付けを行うことで、個々のアノテーションをより詳細に評価し、適正な貢献ポイントを算出できる。
【００４３】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００４４】
本実施形態における各機能部は、適宜、複数の情報処理装置（サーバ）に分離されたシステムとして構成されてよい。
【００４５】
管理サーバ１の機能を実現するためのプログラムをコンピュータで読み取り可能な記録媒体に記録して、この記録媒体に記録されたプログラムをコンピュータシステムに読み込ませ、実行することによって実現してもよい。
【００４６】
ここでいう「コンピュータシステム」とは、ＯＳや周辺機器などのハードウェアを含むものとする。また、「コンピュータで読み取り可能な記録媒体」とは、フレキシブルディスク、光磁気ディスク、ＲＯＭ、ＣＤ−ＲＯＭなどの可搬媒体、コンピュータシステムに内蔵されるハードディスクなどの記憶装置のことをいう。
【００４７】
さらに「コンピュータで読み取り可能な記録媒体」とは、インターネットなどのネットワークや電話回線などの通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００４８】
１  管理サーバ（評価装置）
１１  制御部
１２  記憶部
１１１  アプリケーション提供部
１１２  アノテーション保持部
１１３  履歴管理部
１１４  貢献ポイント算出部
１１５  重み付け管理部
１２１  アノテーションデータ
１２２  重み付けテーブル
【図１】
2018006820.tif 000003
【図２】
2018006820.tif 000004
【図３】
2018006820.tif 000005
【図４】
2018006820.tif 000006
【図５】
2018006820.tif 000007
【図６】
2018006820.tif 000008
【図７】
2018006820.tif 000009